(57)【要約】    【課題】  本考案の目的は、従来の、間隔的に配列される炭パックにより吸収層を形成するパッド体の欠陥を解消する。【解決手段】  本考案の炭元素パッド体は、主として、上下端面が水平状である海綿状プラスチック主体層に、縦、横に配列される収納穴が形成され、粉状や粒状の炭体で、当該収納穴を平らに充填して、上下が整然でる主体層が構成され、また、主体層の上下端面に、通気性ヒドロゲルで海綿状プラスチックからなる副体層を粘着し、これにより、炭体と主体層とが整然状態である炭元素パッド体が完成される。【選択図】図１
0003116731.tif 000002
【実用新案登録請求の範囲】
【請求項１】
主として、高密度な海綿状プラスチック主体層を有し、当該主体層の上下水平端面に、複数の収納穴を形成し、当該収納穴に当該主体層の上下端面と等高のように粉状や粒状の炭体が充填され、また、当該主体層の上下端面に、通気性のヒドロゲルで同じな材質である副体層が粘着されて、整然な接触面を有する、ことを特徴とする炭元素パッド体。
【請求項２】
当該炭元素パッド体は、座布団や車のクッション、マットレス或いはまくらに切り取れる、ことを特徴とする請求項１に記載の炭元素パッド体。
【請求項３】
外周に、活性炭網布が設けられ、活性炭網布の外周に、更に、布である被覆層が設けられる、ことを特徴とする請求項１に記載の炭元素パッド体。
【考案の詳細な説明】
【技術分野】
【０００１】
本考案は、炭元素パッド体構造に関し、特に、充填炭元素と主体層との間が整然形態である炭元素パッド体に関する。
【背景技術】
【０００２】
本考案の目的は、従来の、間隔的に配列される炭パックにより吸収層を形成するパッド体の欠陥を解消するためであり、吸収層内の炭パックと連結部位の隙間により、整然でない段差が形成されるため、座る時や寄掛かる時、凹凸の不平になり、快適ではない欠点があり、そのため、本考案は、上下端面が整然である海綿状プラスチック主体層に、縦、横に配列される収納穴を形成し、主体層の底面に、通気性ヒドロゲルで海綿状プラスチックからなる副体層を粘着し、粉状や粒状の炭体で当該収納穴を平らに充填し、整然な主体層が構成され、また、主体層の頂面に、通気性ヒドロゲルで海綿状プラスチックからなる副体層を粘着し、これにより、炭体と主体層が整然状態である炭元素パッド体が完成される。
【考案の開示】
【考案が解決しようとする課題】
【０００３】
本考案の目的は、従来の、間隔的に配列される炭パックにより吸収層を形成するパッド体の欠陥を解消する。
【課題を解決するための手段】
【０００４】
本考案は、主として、高密度な海綿状プラスチック主体層を有し、当該主体層の上下水平端面に、複数の収納穴を形成し、当該収納穴に当該主体層の上下端面と等高のように粉状や粒状の炭体が充填され、また、当該主体層の上下端面に、通気性のヒドロゲルで同じな材質である副体層が粘着されて、整然な接触面を有する、ことを特徴とする炭元素パッド体を提供する。
【０００５】
本考案は、当該炭元素パッド体は、座布団や車のクッション、マットレス或いはまくらに切り取れる、ことを特徴とする炭元素パッド体を提供する。
【０００６】
本考案は、外周に、活性炭網布が設けられ、活性炭網布の外周に、更に、布である被覆層が設けられる、ことを特徴とする炭元素パッド体を提供する。
【考案を実施するための最良の形態】
【０００７】
本考案は、炭元素パッド体に関し、図１、２を参照しながら、当該炭元素パッド体（１）は、
縦横方向に間隔的に配列される円形状である収納穴（２１）が形成される整然である上下端面を有し、当該収納穴（２１）内に、粉状や粒状の炭体（２２）（炭体は、木炭や竹炭或いは備長炭等である）が充填され、収納穴（２１）内に充填された炭体（２２）が上下端面と約等高である海綿状プラスチック主体層（２）と、
粘着方式により主体層（２）の頂面と底面に粘着され、整然である上下接触表面を有する炭元素パッド体（１）を構成する海綿状プラスチックの副体層（３）と、が含有される。
【０００８】
本考案は、主体層（２）内に充填される炭元素構造体が釈放した遠赤外線と陰イオンが副体層（３）を透過でき、主副体層の間が、流体と固体との二つの態様でともに優れた通気性を有するヒドロゲル（Ａ）（図４のように）によって粘着され、また、主副体層の間を粘着して一体に炭元素パッド体（１）を形成する方式が、ヒドロゲルを均一的に下部の副体層（３）に塗布して、主体層（２）を位置付けて粘着し、そして、粉状や粒状である炭体（２２）を主体層（２）の収納穴（２１）に充填（主体層の上下端面が約等高であるように）し、最後、ヒドロゲルが塗布された上部の副体層（３）を主体層（２）の上面に粘着して、上下の接触面が整然状態である炭元素パッド体（１）が得られる。
本考案は、以上のように、三層の海綿状プラスチックが粘着される炭元素パッド体（１）があり、主副体層の間は、「通気性ヒドロゲル」により粘着され、炭体（２２）が釈放する遠赤外線及び陰イオンは、副体層（３）を透過して、座る人に伝送し、これにより、血液循環が促進されるや新陳代謝が加速される物理的な治療効果が得られるだけでなく、炭体（２２）が釈放した陰イオンにより、室内空気の浄化も得られる。
【０００９】
また、炭元素パッド体（１）の主副体層の端面は、整然状態であり、そして、炭体（２２）は、粉状や粒状の状態で主体層（２）の収納穴（２１）内に収納され、その高さが、主体層（２）の上下端面と約等高状態であり、このような、炭体が充填された主体層及び副体層は、整然的な接触面を有し、何れかの方向や何れかの座る姿勢及び寄掛かる姿勢でも、炭素構造体が釈放した遠赤外線及び陰イオンによる物理的な治療効果が得られ、そして、座る時、非常に快適である。
【００１０】
また、パッド体内の粉状や粒状の炭体（２２）は、収納穴（２１）内に収納されるため、長時間に使用されても、収納穴（２１）内の炭体（２２）が外部へリークする恐れがなく、また、炭体（２２）を主体層（２）の収納穴（２１）に充填する手段として、自動化機器で、一回に充填してもいいし、数回に渡って充填してもいいから（パッド体の成形面積による）、加工が速く、生産時間の節約が出来る。
【００１１】
本考案は、炭元素パッド体（１）を成形する時、単一な面積のパッド体を形成するため、実用に応じて、長方形や矩形、三角形或いは円形である何れかの幾何形状にすることができるから、図６のようなまくら（１０）や図７のような車のクッション（２０）或いは図８のような円形なパッド体を形成することができ、また、円形なパッド体の回りに活性炭網布（５０）で覆って、当該活性炭網布（５０）の縁にマジックテープ（登録商標）（３１）を環設し、また、中央に炭体（２２）が収納される環形突出体（３２）を粘着して一体にし、最後に、布である被覆層（４０）で円形パッド体と環形突出体（３２）を被覆して一体にし、これにより、図９のような、物理的な治療効果がえられる猫や犬等のペットが休むところとしてのペットマットレス（３０）が得られる。
【００１２】
図３、４を参照しながら、本考案に係わる炭元素パッド体（１）は、上、中、下の三層の海綿状プラスチックからなる何れかの形状に切り取られる炭元素構造体でありながら、パッド体が汚れる時の清潔便利性のため、炭元素パッド体（１）の周縁に布である被覆層（４０）を被覆し、当該布である被覆層（４０）が、ファスナー（４１）の設計により、パッド体が汚れたり破損したりする時、汚れたり破損したりする布である被覆層（４０）を外して清潔するか交換する。
【００１３】
図５を参照しながら、炭元素パッド体（１）の物理的な治療効果を向上するため、炭元素パッド体（１）と布である被覆層（４０）との間に、活性炭網布（５０）を追加して、炭元素構造体の遠赤外線と陰イオン釈放効果を向上しても良く。
【００１４】
炭元素パッド体（１）を構成する主体層（２）と副体層（３）は、高密度の海綿状プラスチックを使用すれば、その硬度を向上することができる。
【図面の簡単な説明】
【００１５】
【図１】本考案の炭元素パッド体の分解概念図
【図２】本考案の炭元素パッド体の組立て概念図
【図３】本考案の炭元素パッド体に被覆層が被覆される時の局部断面図
【図４】本考案の炭元素パッド体の局部断面概念図
【図５】本考案の炭元素パッド体に活性炭網布と被覆層が被覆される時の外観概念図
【図６】本考案の炭元素パッド体をまくらに切り取る時の外観概念図
【図７】本考案の炭元素パッド体を車のクッションに切り取る時の外観概念図
【図８】本考案の炭元素パッド体をペットパッド体に切り取る時の分解概念図
【図９】図８のペットパッド体の断面概念図
【符号の説明】
【００１６】
１−−−−−−炭元素パッド体
２−−−−−−主体層
３−−−−−−副体層
１０−−−−−まくら
２０−−−−−車のクッション
２１−−−−−収納穴
２２−−−−−炭体
３０−−−−−ペットマットレス
３１−−−−−マジックテープ（登録商標）
３２−−−−−環形突出体
４０−−−−−布である被覆層
４１−−−−−ファスナー
５０−−−−−活性炭網布
Ａ−−−−−−ヒドロゲル
【図１】
0003116731.tif 000003
【図２】
0003116731.tif 000004
【図３】
0003116731.tif 000005
【図４】
0003116731.tif 000006
【図５】
0003116731.tif 000007
【図６】
0003116731.tif 000008
【図７】
0003116731.tif 000009
【図８】
0003116731.tif 000010
【図９】
0003116731.tif 000011